(57)【要約】【課題】初期エラー発生時の通信ログを確実に保存できる通信制御装置を提供する。【解決手段】エラーログである通信ログを記憶させる回線エラーログ保存部３と、通常通信ログである通信ログを記憶させる通常通信ログ保存部２とを記憶手段に設ける。回線エラーログ保存部３に、初期エラーログ保存部４と、循環エラーログ保存部５とを設ける。通信ログ種別判定部１が、通信エラーが発生したときの通信ログであるエラーログであるのか、または通信エラーが発生していないときの通信ログである通常通信ログであるのかを判定する。そして、通信ログ種別判定部１は、通信ログがエラーログであると判定し、初期エラーログ保存部４に空き領域が存在する場合に当該空き領域に通信ログを記憶させ、初期エラーログ保存部４に空き領域が存在しない場合に循環エラーログ保存部５に通信ログを記憶させる。【選択図】図１
2008262287.tif 000002
【特許請求の範囲】
【請求項１】
通信回線に接続された通信制御装置において、
通信ログが、通信エラーが発生したときの通信ログであるエラーログであるのか、通信エラーが発生していないときの通信ログである通常通信ログであるのかを判定する通信ログ種別判定手段と、
データの上書きが禁止されるように書き込み制御される第１エラーログ記憶手段と、
既に全ての領域にデータが書き込まれている場合に新たに書き込み対象としてデータ発生したときにそのデータで最旧データが更新されるように書き込み制御される第２エラーログ記憶手段とを備え、
前記通信ログ種別判定手段は、通信ログがエラーログであると判定した場合に、前記第１エラーログ記憶手段に空き領域が存在する場合に当該空き領域に通信ログを記憶させ、前記第１エラーログ記憶手段に空き領域が存在しないときには前記第２エラーログ記憶手段に通信ログを記憶させる
ことを特徴とする通信制御装置。
【請求項２】
通信制御装置は、複数の通信回線に接続され、
第１エラーログ記憶手段と第２エラーログ記憶手段とは、複数の通信回線のそれぞれにに応じて備えられ、
通信ログ種別判定手段は、通信ログがどの通信回線で発生した通信エラーを示しているのかを判定し、判定結果に応じた第１エラーログ記憶手段および第２エラーログ記憶手段に通信ログを記憶させる
請求項１記載の通信制御装置。
【請求項３】
通信ログ種別判定手段は、通信ログがエラーログであると判定した場合に、第１エラーログ記憶手段に空き領域が存在しないときに、通信回線を介して接続されたコンピュータに障害が発生したことを示す情報を送信し、前記コンピュータの要求に応じて、前記通信ログを前記通信回線を介して前記コンピュータに送信する
請求項１または請求項２記載の通信制御装置。
【請求項４】
通信ログ種別判定手段は、通信ログを通信回線を介して接続されたコンピュータに送信した場合に、第１エラーログ記憶手段を、新たに発生した通信ログが書き込まれることが可能になるように初期化する
請求項３記載の通信制御装置。
【請求項５】
通信回線に接続された通信制御装置で発生する通信ログを記憶手段に保存する通信ログ保存方法において、
データの上書きが禁止されるように書き込み制御される第１エラーログ記憶手段を設け、
既に全ての領域にデータが書き込まれている場合に新たに書き込み対象としてデータ発生したときにそのデータで最旧データが更新されるように書き込み制御される第２エラーログ記憶手段を設け、
通信ログが、通信エラーが発生したときの通信ログであるエラーログであるのか、通信エラーが発生していないときの通信ログである通常通信ログであるのかを判定し、
通信ログがエラーログであると判定した場合に、前記第１エラーログ記憶手段に空き領域が存在する場合に当該空き領域に通信ログを保存し、前記第１エラーログ記憶手段に空き領域が存在しないときには前記第２エラーログ記憶手段に通信ログを保存する
ことを特徴とする通信ログ保存方法。
【請求項６】
通信ログがエラーログであると判定した場合に、第１エラーログ記憶手段に空き領域が存在しないときに、通信回線を介して接続されたコンピュータに障害が発生したことを示す情報を送信し、前記コンピュータの要求に応じて、前記通信ログを前記通信回線を介して前記コンピュータに送信する
請求項５記載の通信ログ保存方法。
【請求項７】
通信ログを通信回線を介して接続されたコンピュータに送信した場合に、通信ログを通信回線を介して接続されたコンピュータに送信した場合に、第１エラーログ記憶手段を、新たに発生した通信ログが書き込まれることが可能になるように初期化する
請求項６記載の通信ログ保存方法。
【発明の詳細な説明】
【技術分野】
【０００１】
本発明は、通信ログを保存する機能を有する通信制御装置、および通信制御装置で発生する通信ログを保存する通信ログ保存方法に関する。
【背景技術】
【０００２】
従来の通信ログ（通信記録）のロギング方式（通信記録の記録方式）では、限られたメモリ資源を有効に活用するために、静的にメモリ領域を確保し、通信ログをサイクリック（循環的）にメモリに書き込む。通信ログをサイクリックにメモリに書き込むとは、通信ログをメモリ領域におけるログ保存領域の先頭から順番に書き込み、通信ログがログ保存領域の最後まで書き込まれた状態で新たな通信ログが発生した場合に、その通信ログを、ログ保存領域の先頭から上書きすることをいう。すなわち、新たに発生した通信ログで最旧のデータ（通信ログ）を更新することである。
【０００３】
従って、障害発生時等に大量のエラーが発生した場合に、発生したエラーを示す通信ログ（エラーログ情報）がログ保存領域の最後まで記憶されたときに、さらに、エラーログ情報が発生すると、過去のエラーログ情報が消去される。すると、障害解析のために重要な情報となる過去のエラーログ情報が消失してしまうことがある。
【０００４】
特許文献１には、エラーログ情報の消失を防止するために、エラーが発生した場合に、エラーログファイルのファイルサイズを拡張する方法が記載されている。
【０００５】
特許文献２には、エラーログ情報の消失を防止するために、通信エラーが発生したときに、過去における最新の通信エラーの発生時点からの時間が所定時間を超えていれば、エラーログをエラーログファイルに上書きする方法が記載されている。
【０００６】
【特許文献１】特許第３１２７８２８号公報（段落０００６〜００１０、図２）
【特許文献２】特許第２９７８８０３号公報（段落００２８〜００５８、図１）
【発明の開示】
【発明が解決しようとする課題】
【０００７】
過去のエラーログ情報が消失すると、障害解析のための時間が長くなり、ＭＴＴＲ（Ｍｅａｎ  Ｔｉｍｅ  Ｔｏ  Ｒｅｐａｉｒ）が増大するという問題がある。
【０００８】
また、過去のエラーログ情報の消失を防ぐために、エラーログの保存（記憶）を停止させると、エラーログの保存の停止後にエラーログや通信ログが記憶されないという問題がある。
【０００９】
また、共通のログバッファ領域に複数の回線のエラー情報を書き込む方法があるが、同時に複数の回線で障害が発生した場合に、複数の回線のエラーログ情報が当該ログバッファ領域に混在し、障害解析作業が困難になるという問題がある。
【００１０】
特許文献１に記載されている方法は、エラーログ情報の消失を防ぐために、エラーログファイルのファイルサイズを拡張するという方法であるが、記憶手段の記憶容量に制限がある場合には、そのような方法を用いることは難しい。
【００１１】
特許文献２に記載されている方法は、過去における最新の通信エラーの発生時点からの時間が所定時間を超えていればエラーログをエラーログファイルに上書きすることを許可する方法であるが、所定時間過去に遡った時点よりも前に発生したエラーログであっても、消去することが好ましくない場合もありうる。特に、通信ログ収集対象のシステムの稼働開始時やリセット直後に生じたエラーログは消去されないことが好ましい。
【００１２】
そこで、本発明は、エラーログファイルのファイルサイズを拡張することなく、できるだけ初期エラー発生時の通信ログを消去しないようにすることができる通信制御装置および通信ログ保存方法を提供することを目的とする。
【課題を解決するための手段】
【００１３】
本発明による通信制御装置は、通信ログが、通信エラーが発生したときの通信ログであるエラーログであるのか、通信エラーが発生していないときの通信ログである通常通信ログであるのかを判定する通信ログ種別判定手段と、データの上書きが禁止されるように書き込み制御される第１エラーログ記憶手段（例えば、初期エラーログ保存部）と、既に全ての領域にデータが書き込まれている場合に新たに書き込み対象としてデータ発生したときにそのデータで最旧データが更新されるように書き込み制御される第２エラーログ記憶手段（例えば、循環エラーログ保存部）とを備え、通信ログ種別判定手段が、通信ログがエラーログであると判定した場合に、第１エラーログ記憶手段に空き領域が存在する場合に当該空き領域に通信ログを記憶させ、第１エラーログ記憶手段に空き領域が存在しないときには第２エラーログ記憶手段に通信ログを記憶させることを特徴とする。
【００１４】
通信制御装置が複数の通信回線に接続され、第１エラーログ記憶手段と第２エラーログ記憶手段とは、複数の通信回線のそれぞれにに応じて備えられ、通信ログ種別判定手段が、通信ログがどの通信回線で発生した通信エラーを示しているのかを判定し、判定結果に応じた第１エラーログ記憶手段および第２エラーログ記憶手段に通信ログを記憶させるように構成されていてもよい。
【００１５】
通信ログ種別判定手段が、通信ログがエラーログであると判定した場合に、第１エラーログ記憶手段に空き領域が存在しないときに、通信回線を介して接続されたコンピュータに障害が発生したことを示す情報を送信し、コンピュータの要求に応じて、通信ログを通信回線を介してコンピュータに送信するように構成されていてもよい。
【００１６】
通信ログ種別判定手段が、通信ログを通信回線を介して接続されたコンピュータに送信した場合に、第１エラーログ記憶手段を、新たに発生した通信ログが書き込まれることが可能になるように初期化するように構成されていてもよい。
【００１７】
本発明による通信ログ保存方法は、データの上書きが禁止される第１エラーログ記憶手段を設け、既に全ての領域にデータが書き込まれている場合に新たに書き込み対象としてデータ発生したときにそのデータで最旧データが更新される第２エラーログ記憶手段を設け、通信ログが、通信エラーが発生したときの通信ログであるエラーログであるのか、通信エラーが発生していないときの通信ログである通常通信ログであるのかを判定し、通信ログがエラーログであると判定した場合に、第１エラーログ記憶手段に空き領域が存在する場合に当該空き領域に通信ログを保存し、第１エラーログ記憶手段に空き領域が存在しないときには第２エラーログ記憶手段に通信ログを保存することを特徴とする。
【００１８】
通信ログがエラーログであると判定した場合に、第１エラーログ記憶手段に空き領域が存在しないときに、通信回線を介して接続されたコンピュータに障害が発生したことを示す情報を送信し、コンピュータの要求に応じて、通信ログを通信回線を介してコンピュータに送信するように構成されていてもよい。
【００１９】
通信ログを通信回線を介して接続されたコンピュータに送信した場合に、第１エラーログ記憶手段を、新たに発生した通信ログが書き込まれることが可能になるように初期化するように構成されていてもよい。
【発明の効果】
【００２０】
本発明によれば、データの上書きが禁止されるように書き込み制御される第１エラーログ記憶手段に優先的にエラーログを書き込み、第１エラーログ記憶手段に空き領域がない場合には、循環的にデータの書き込み制御がなされる第２エラーログ記憶手段にエラーログを書き込むようにして、初期エラーログを消去しないようにすることができる。また、初期エラーログ以外のエラーログについても、ある程度の期間分保存することができる。
【００２１】
通信ログ種別判定手段が、通信ログがどの通信回線で発生した通信エラーを示しているのかを判定し、判定結果に応じた第１エラーログ記憶手段および第２エラーログ記憶手段に通信ログを記憶させるように構成されている場合には、通信ログが各通信回線に応じた記憶手段に記憶されるので、複数の通信回線の通信ログを混在させて記憶させる場合に比べて、障害解析作業を容易にすることができる。
【００２２】
通信ログ種別判定手段が、通信ログがエラーログであると判定した場合に、第１エラーログ記憶手段に空き領域が存在しないときに、通信回線を介して接続されたコンピュータに障害が発生したことを示す情報を送信し、コンピュータの要求に応じて、通信ログを通信回線を介してコンピュータに送信するように構成された場合には、コンピュータに通信ログを保存させることができる。
【発明を実施するための最良の形態】
【００２３】
実施の形態１．
本発明の第１の実施の形態について、図面を参照して説明する。図１は、本発明の第１の実施の形態の通信制御装置の構成例を示すブロック図である。
【００２４】
図１に示すように、第１の実施の形態の通信制御装置は、通信ログ種別判定部１と、通常通信ログ保存部２と、回線エラーログ保存部３とを含む。また、図１に示すように、回線エラーログ保存部３は、初期エラーログ保存部４と、循環エラーログ保存部５とを含む。なお、通信制御装置は、複数の通信回線に接続されている。そして、通信回線を介して他のコンピュータとデータを送受信する通信手段（図示せず）と、データの送受信を制御するデータ制御手段（図示せず）とを含む。なお、通信制御装置は、例えば、ハブやルータである。
【００２５】
初期エラーログ保存部４と循環エラーログ保存部５とは、複数の通信回線のそれぞれに対応して設けられている。各ログ保存部には、通信ログ種別判定部１によって通信ログが記憶される。なお、初期エラーログ保存部４には、管理者による書き込み許可の指示があるまで、通信ログの上書きが禁止される。
【００２６】
通信ログ種別判定部１は、例えば、通信制御装置に搭載されたＣＰＵ、または通信回線を介して接続されたコンピュータに搭載されたＣＰＵである。また、各ログ保存部は、例えば、通信制御装置または当該通信制御装置に接続されているコンピュータに内蔵されているメモリ等の記憶手段に設けられた領域である。以下、各ログ保存部は、通信制御装置に内蔵されているメモリに用意された領域（メモリ領域）であるとして説明する。なお、回線エラーログ保存部３は、接続されている各通信回線毎に用意されているとする。
【００２７】
なお、通信制御装置には、コンピュータに、通信エラーが発生したときの通信ログであるエラーログであるのか、または通信エラーが発生していないときの通信ログである通常通信ログであるのかを判定する通信ログ種別判定処理と、通信ログ種別判定処理で通信ログがエラーログであると判定し、初期エラーログ保存部４に空き領域が存在する場合に当該空き領域に通信ログを記憶させ、初期エラーログ保存部４に空き領域が存在しない場合に循環エラーログ保存部５に通信ログを記憶させる通信ログ保存処理とを実行させるための通信ログ保存プログラムが搭載されている。
【００２８】
図２は、通信ログの例を示す説明図である。なお、通信ログには、障害（通信エラー）が発生した場合の通信ログであるエラーログと、障害（通信エラー）が発生していない場合の通信ログである通常通信ログとがある。図２（ａ）は、通信ログのフォーマットを示す説明図である。図２（ｂ）は、エラーログの一例を示す説明図である。図２（ｃ）は、通常通信ログの一例を示す説明図である。
【００２９】
図２（ａ）に示すように、通信ログは、当該通信ログの種別を示すログ種別情報と、障害が発生した場所（通信回線）を示す障害箇所情報と、通信ログの内容を示すログメッセージ情報とを含む。
【００３０】
図２（ｂ）に示す例では、通信ログに、通信ログの種別がエラーログであることを示す（図２（ｂ）に示す例では「ＥＲＲＯＲ」）ログ種別情報と、第１の通信回線で障害が発生したことを示す（図２（ｂ）に示す例では「Ｌｉｎｅ  １」）障害箇所情報と、通信ログの内容（図２（ｂ）に示す例では「Ａｌａｒｍ  Ｄｅｔｅｃｔｉｏｎ」）を示すログメッセージ情報とが含まれている。
【００３１】
図２（ｃ）に示す例では、通信ログに、通信ログの種別が通常通信ログであることを示す（図２（ｃ）に示す例では「ＩＮＦＯ」）ログ種別情報と、第１の通信回線の通信ログであることを示す（図２（ｃ）に示す例では「Ｌｉｎｅ  １」）障害箇所情報と、通信ログの内容（図２（ｃ）に示す例では「Ｌｉｎｋ  ｓｔａｔｕｓ  ＵＰ」）を示すログメッセージ情報とが含まれている。
【００３２】
図３は、通信ログ種別判定部１が通信ログの書き込み要求を入力された場合の動作を示すフローチャートである。なお、通信ログ種別判定部１には、前述した通信手段またはデータ制御手段によって通信ログの書き込み要求が入力される。
【００３３】
図３に示すように、通信ログ種別判定部１は、通信ログの書き込み要求を入力された場合に、通信ログに含まれているログ種別情報にもとづいて、当該通信ログがエラーログであるのか、または通常通信ログであるのかを判定する（ステップＳ１０１，Ｓ１０２）。
【００３４】
具体的には、通信ログ種別判定部１は、ログ種別情報に「ＥＲＲＯＲ」の文字列が含まれている通信ログをエラーログであると判定し（ステップＳ１０２のＹ）、ログ種別情報に「ＥＲＲＯＲ」の文字列が含まれていない通信ログを通常通信ログであると判定する（ステップＳ１０２のＮ）。
【００３５】
通信ログ種別判定部１は、通信ログが通常通信ログであると判定した場合には（ステップＳ１０２のＮ）、通常通信ログ保存部２に、通信ログをサイクリックに記憶させる（ステップＳ１０３）。具体的には、通信ログ種別判定部１は、通信ログをメモリ領域における通常通信ログ保存部２の先頭から順番に記憶させるのであるが、通信ログが通常通信ログ保存部２の最後まで記憶されている場合には、最旧の通信ログ（最も過去に発生した通信ログ）に新たな通信ログを上書きする。
【００３６】
図４は、ステップＳ１０３の通信ログを通常通信ログ保存部２に記憶させる動作を説明するフローチャートである。通信ログ種別判定部１は、通信ログを通常通信ログ保存部２に記憶させる（ステップＳ２０１）。
【００３７】
そして、通信ログ種別判定部１は、通信ログを記憶させる領域を示す書き込みポインタを更新する（ステップＳ２０２）。具体的には、通信ログ種別判定部１は、通常通信ログ保存部２におけるステップＳ２０１の処理で通信ログが記憶された領域の次の領域を示すように書き込みポインタを更新する。なお、書き込みポインタが通常通信ログ保存部２の最後の次を指した場合には、通常通信ログ保存部２における先頭の領域を示すように書き込みポインタを更新する。
【００３８】
通信ログ種別判定部１は、通信ログがエラーログであると判定した場合には（ステップＳ１０２のＹ）、回線エラーログ保存部３にエラーログを記憶させる（ステップＳ１０４）。
【００３９】
図５は、ステップＳ１０４の通信ログを回線エラーログ保存部３に記憶させる動作を説明するフローチャートである。
【００４０】
通信ログ種別判定部１は、障害が発生した箇所（障害が発生した通信回線の回線番号）を判定する（ステップＳ３０１）。具体的には、通信ログ種別判定部１は、通信ログに含まれる障害箇所情報から障害が発生した通信回線の回線番号を取得する。
【００４１】
通信ログ種別判定部１は、メモリ領域における取得した回線番号に対応する初期エラーログ保存部４の空き領域の有無にもとづいて、初期エラーログ保存部４に通信ログを記憶させるか否かを判定する（ステップＳ３０２）。
【００４２】
取得した回線番号に対応する初期エラーログ保存部４に空き領域が存在する場合には（ステップＳ３０２のＹ）、通信ログ種別判定部１は、取得した回線番号に対応する初期エラーログ保存部４に通信ログを記憶させる（ステップＳ３０４）。なお、初期エラーログ保存部４には管理者によって過去の通信ログが消去された後に空き領域が用意される。つまり、初期エラーログ保存部４には、管理者によって当該初期エラーログ保存部４に記憶されていた過去の通信ログが消去された後、最初に生成されたエラーログが記憶される。
【００４３】
取得した回線番号に対応する初期エラーログ保存部４に空き領域が存在しない場合には（ステップＳ３０２のＮ）、通信ログ種別判定部１は、取得した回線番号に対応する循環エラーログ保存部５に通信ログをサイクリックに記憶させる（ステップＳ３０３）。具体的には、通信ログ種別判定部１は、通信ログをメモリ領域における取得した回線番号に対応する循環エラーログ保存部５の先頭から順番に記憶させるのであるが、循環エラーログ保存部５の全ての領域に既にデータ（通信ログ）が保存されている場合には、最旧の通信ログ（最も過去に発生した通信ログ）に新たな通信ログを上書きする。
【００４４】
本実施の形態では、初期エラーログ保存部４に空き領域が存在する場合に、初期エラーログ保存部４に通信ログを記憶させ、初期エラーログ保存部４には、管理者による書き込み許可の指示があるまで、通信ログの上書きが禁止されるので、障害解析のために重要な情報となる最初のエラーログが消失することを防ぐことができる。また、初期エラーログ保存部４に空き領域がなくなった場合には循環エラーログ保存部５にエラーログが保存されるので、初期エラー以外のエラーを示す通信ログについて直近のものが保存され、エラー解析に役立たせることができる。
【００４５】
実施の形態２．
本発明の第２の実施の形態について、図面を参照して説明する。図６は、本発明の第２の実施の形態の通信制御装置の構成例を示すブロック図である。
【００４６】
図６に示すように、第２の実施の形態の通信制御装置は、通信ログ種別判定部１と、通常通信ログ保存部２と、回線エラーログ保存部３と、回線エラーログ送信部６と、エラーログ領域初期化部９とを含む。また、図５に示すように、回線エラーログ送信部６は、アラーム通知部７と、エラーログ取得要求監視部８とを含む。
【００４７】
なお、通信ログ種別判定部１、通常通信ログ保存部２、および回線エラーログ保存部３の構成は、図１に示す第１の実施の形態における構成と同様なため、図１と同じ符号を付し、説明を省略する。
【００４８】
図７は、第２の実施の形態の通信ログ種別判定部１が通信ログの書き込み要求を入力された場合の動作を示すフローチャートである。
【００４９】
通信ログ種別判定部１は、第１の実施の形態の場合と同様に、通信ログの書き込み要求を入力された場合に、通信ログに含まれているログ種別情報にもとづいて、当該通信ログがエラーログであるのか、または通常通信ログであるのかを判定する（ステップＳ１０１，Ｓ１０２）。通信ログが通常通信ログであると判定した場合には（ステップＳ１０２のＮ）、通常通信ログ保存部２に、通信ログをサイクリックに記憶させる（ステップＳ１０３）。通信ログ種別判定部１は、通信ログがエラーログであると判定した場合には（ステップＳ１０２のＹ）、回線エラーログ保存部３にエラーログを記憶させる（ステップＳ１０４）。
【００５０】
次に、通信ログ種別判定部１は、メモリ領域における初期エラーログ保存部４に空き領域があるか否か判定する（ステップＳ４０５）。
【００５１】
メモリ領域における初期エラーログ保存部４に空き領域がない（フル（ｆｕｌｌ）である）場合には（ステップＳ４０５のＹ）、通信ログ種別判定部１は、管理者に対してアラームを通知する（ステップＳ４０６）。管理者へのアラームの通知は、例えば、予め登録されている管理者の電子メールアドレスに、障害（通信エラー）が発生し、かつ、初期エラーログ保存部４に空き領域が存在しないことを示す電子メールアドレスを送信すること等によって実現される。管理者は、アラームの通知に気付いた場合には、コンピュータ等から、通信ネットワークを介してエラーログの送信を指示する情報を通信制御装置に送信する。
【００５２】
通信ログ種別判定部１は、管理者からエラーログ取得要求を受信した場合（具体的には、所定の時間内に、管理者によって操作がなされたコンピュータ等からエラーログの送信を指示する情報を受信した場合）には（ステップＳ４０７のＹ）、エラーログである通信ログ（初期エラーログ保存部４に保存されている通信ログおよび循環エラーログ保存部５にに保存されている通信ログ）を管理者によって管理されるコンピュータ等に通信ネットワークを介して送信する（ステップＳ４０８）。コンピュータ等は、受信した通信ログを保存する。
【００５３】
通信ログを送信した場合には、通信ログ種別判定部１は、メモリ領域における初期エラーログ保存部４への通信ログの上書きが許可されたと判断し、メモリ領域における初期エラーログ保存部４の書き込み領域を示す書き込みポインタを初期化する。すなわち、各保存部の先頭を指すように書き込みポインタの値を変更する（ステップＳ４０９）。なお、循環エラーログ保存部５の書き込み領域を示す書き込みポインタも初期化する。通信ログ種別判定部１は、書き込みポインタの位置を初期化したときに、初期エラーログ保存部４および循環エラーログ保存部５に対応するメモリ領域を初期化（クリア）してもよい。
【００５４】
本実施の形態によれば、初期エラーログ保存部４に空き領域が存在しなくなった場合に、管理者にアラームを通知し、指示に応じて通信ログを送信することによって、エラーログをコンピュータ等に保存させることができる。よって、初期エラーログ保存部４に保存されていた通信ログを消去しても問題はなく、新たに発生した通信ログが書き込まれることが可能になるように初期エラーログ保存部４を初期化することによって、新たに発生したエラーログを初期エラーログ保存部４に書き込みことができるようになる。
【産業上の利用可能性】
【００５５】
本発明は、通信回線に接続されデータの送受信を制御する通信制御装置に好適に適用される。
【図面の簡単な説明】
【００５６】
【図１】本発明の第１の実施の形態の通信制御装置の構成例を示すブロック図である。
【図２】通信ログの例を示す説明図である。
【図３】通信ログ種別判定部が通信ログの書き込み要求を入力された場合の動作を示すフローチャートである。
【図４】通信ログを通常通信ログ保存部に記憶させる動作を説明するフローチャートである。
【図５】通信ログを回線エラーログ保存部に記憶させる動作を説明するフローチャートである。
【図６】本発明の第２の実施の形態の通信制御装置の構成例を示すブロック図である。
【図７】第２の実施の形態の通信ログ種別判定部が通信ログの書き込み要求を入力された場合の動作を示すフローチャートである。
【符号の説明】
【００５７】
１  通信ログ種別判定部
２  通常通信ログ保存部
３  回線エラーログ保存部
４  初期エラーログ保存部
５  循環エラーログ保存部
６  回線エラーログ送信部
７  アラーム通知部
８  エラーログ取得要求監視部
９  エラーログ領域初期化部
【図１】
2008262287.tif 000003
【図２】
2008262287.tif 000004
【図３】
2008262287.tif 000005
【図４】
2008262287.tif 000006
【図５】
2008262287.tif 000007
【図６】
2008262287.tif 000008
【図７】
2008262287.tif 000009